(57)【要約】      （修正有）【課題】二穴ボルトを緩める又は締め付ける動作を便利で迅速に行い、主掴み具及び副掴み具の設計により、両方の挿し込み栓の間隔が自由に調整でき、それによりサイズが異なる各種の二穴ボルトへの使用に適するレンチ構造の提供。【解決手段】一種のレンチ構造。主に主掴み具及び副掴み具により構成されているもの。当該主掴み具及び副掴み具の一端が旋回軸を通じて互いに回転するよう接合され、これにより主掴み具及び副掴み具はこの旋回軸を中心に内・外向きに自由に開閉できる。また主掴み具と副掴み具の先端にはそれぞれ押さえ台が設けられ、挿し込み栓を該押さえ台に設置できる。これにより二穴ボルト(二つの穴を有するボルト)を取り外す機能を果たし、又は一般のスクリュードライバー又は製図用コンパスとしての使用機能をも果たし得るのである。【選択図】図２
0003120951.tif 000002
【実用新案登録請求の範囲】
【請求項１】
一種のレンチ構造において、主に主掴み具及び副掴み具により構成され、当該主掴み具及び副掴み具の一端が旋回軸を通じて互いに回転するよう接合され、これにより主掴み具及び副掴み具はこの旋回軸を中心に内・外向きに開閉し、主掴み具と副掴み具の先端にそれぞれ押さえ台を設け、該押さえ台の位置決め孔には挿し込み栓を設けることができ、また該挿し込み栓のもう一方には別に押さえ体を設けることができ、当該押さえ体は押さえ台のはめ穴と互いにはまり合い、また、前述の主掴み具と副掴み具に更に位置決め板を設けることもできることを特徴とするレンチ構造。
【請求項２】
請求項１記載のレンチ構造において、当該挿し込み栓の一端が円柱形状、針状形状、六角形状、梅花形状、十字形状であってもよいことを特徴とするレンチ構造。
【考案の詳細な説明】
【技術分野】
【０００１】
本考案は一種のレンチ構造であり、主に主掴み具及び副掴み具と挿し込み栓により形成され、二穴ボルトを締めたり緩めたりする機能をなし得るものである。また本レンチは一般のドライバー又は製図用コンパスとしても使用できる。
【背景技術】
【０００２】
現在市場で見られる二穴ボルトとは相対する二穴を有する締め付けボルトのことであり、その抜き取り・締め付けはみな特定の工具を用いて始めてなし得るものである。しかし二穴ボルトはサイズにより全て差異や違いがあり、ボルト穴ごとの間隔も多少異なっている。そのため各種さまざまな二穴ボルトには同一の抜き取り用工具が適用できず、そのため使用者は常に煩わしさと不便を感じているのである。また一般に腕時計修理専用である裏カバーの抜き取り用工具は、前述の問題を解決できる効果があるが、これらの工具は二穴ボルト向けに特別に設計されたものではない。そのため使用時には、以下の問題点が依然として存在しているのである。
１．構造が複雑すぎる。コストが高すぎるということ以外に、全体が完全に適切なものとはいえない。
２．工具全体の設計が腕時計の裏カバー取り外し用に設計されたものである。そのため各方式のサイズが異なる二穴ボルトに使用する時、締め付けの調整を精密に行わなければならず、使用上不便なものになっている。
３．上に述べたように、当該抜き取り用工具は本来二穴ボルト向けに特別に設計されたものではないので、繰り返しかつ高度な回転力が必要な二穴ボルト向けの使用には適さない。使用する場合は、モーメントアームが短すぎ、使用者に対し体力的に余分な負荷がかかる以外にも、同時に該抜き取り用工具の損傷又は二穴ボルトの締め付け・抜き取りができないという問題を起こしうるのである。
４．従来のレンチは単に二穴ボルトの締め付け・抜き取りのための使用にのみ適し、一般のドライバー又は製図用コンパスとしては使用できない。
【０００３】
上記を総合すると、もし二穴ボルトのために特別に設計された抜き取り用工具があり、同時に各種サイズの二穴ボルトに適用できる以外にも、その他の特定のボルトにも使用できるものがあれば、それこそ使用者全てが期待してやまないものとなるのである。 
【考案の開示】
【考案が解決しようとする課題】
【０００４】
本考案で解決を望む問題は、該レンチが二穴ボルトに対する便利で敏速な締め付け・抜き取りができること以外に、一般のドライバー又は鉄板に線を引けるという使用機能を持つ製図用コンパスとしても使えることである。そしてそのため使用者は多種の工具を同時に準備する必要がなくなり、単独にレンチを用いるだけで多種の需要を満たすことができるのである。
【０００５】
上記の背景技術で述べられた多くの問題点に鑑み、本実用新案である一種のレンチ構造は、主に主掴み具及び副掴み具により構成されている。そして該主掴み具及び副掴み具の一端が旋回軸を通じて互いに回転するよう接合され、またこれにより主掴み具及び副掴み具はこの旋回軸を中心に内・外向きに自由に開閉する。主掴み具と副掴み具の先端にそれぞれ押さえ台を設け、該押さえ台を有することで挿し込み栓をそこに設置し、レンチとしての効果を果たすのである。
【課題を解決するための手段】
【０００６】
請求項１の考案は、一種のレンチ構造において、主に主掴み具及び副掴み具により構成され、当該主掴み具及び副掴み具の一端が旋回軸を通じて互いに回転するよう接合され、これにより主掴み具及び副掴み具はこの旋回軸を中心に内・外向きに開閉し、主掴み具と副掴み具の先端にそれぞれ押さえ台を設け、該押さえ台の位置決め孔には挿し込み栓を設けることができ、また該挿し込み栓のもう一方には別に押さえ体を設けることができ、当該押さえ体は押さえ台のはめ穴と互いにはまり合い、また、前述の主掴み具と副掴み具に更に位置決め板を設けることもできることを特徴とするレンチ構造としている。
請求項２の考案は、請求項１記載のレンチ構造において、当該挿し込み栓の一端が円柱形状、針状形状、六角形状、梅花形状、十字形状であってもよいことを特徴とするレンチ構造としている。
【考案の効果】
【０００７】
本考案は下記を増進する効果を有する。
１．二穴ボルトを緩める又は締め付ける動作を便利で迅速に行うもの。
２．主掴み具及び副掴み具の設計により、両方の挿し込み栓の間隔が自由に調整でき、それによりサイズが異なる各種の二穴ボルトへの使用に適するもの。
３．本レンチは、取り外し可能な挿し込み栓の設計により、二穴ボルトの抜き取り・締め付けを行う工具となりうる以外にも、一般のドライバー又は製図用コンパスとしても使用することができる。また前述の挿し込み栓は円柱、針状、六角、梅花又は十字等の形状でもありうる。
【考案を実施するための最良の形態】
【０００８】
図１、２に示したのは、本考案の立体分解実施図及び立体実施図である。これらの図には本考案である一種のレンチ(1)構造が示されている。これは主に主掴み具(11)及び副掴み具(12)により構成されている。該主掴み具(11)及び副掴み具(12)の先端は角度が内向きに凹むように曲がり、設計上この種の屈折による凹みがあることで、本レンチが回転する過程で他の部品とぶつかって干渉しあう現象を避けている。また該主掴み具(11)及び副掴み具(12)の一端は旋回軸(13)を通じて互いに回転するように設置されているため、主掴み具(11)及び副掴み具(12)はこの旋回軸(13)を中心に内・外向きに自由に開閉する。主掴み具(11)と副掴み具(12)の先端には押さえ台(111)(121)が設けられ、該押さえ台(111)(121)は中空状を最良の実施状態とし、該押さえ台(111)(121)は挿し込み栓(14)を設置することができ、二穴ボルト(2)を締め付けるという効果をなし得る(他に図２を参照のこと)。
【０００９】
さらに、前述のレンチ(1)の主掴み具(11)と副掴み具(12)の先端に設置された押さえ台(111)(121)はそれぞれ位置決め孔(1110)(1210)を有し、それぞれ挿し込み栓(14)を押さえつける。当該挿し込み栓(14)の一端(141)は使用者の需要に応じて円柱状(図２参照)、針状(図３参照)、六角状(図４参照)、梅花状(図には未表示)又は十字状(図には未表示)等のその他の形状でもありうる。挿し込み栓(14)の一端(141)が円柱状である時、二穴ボルト(2)の抜き取り・締め付けをすることができ(図２を参照)、又は挿し込み栓(14)の一端(141)が六角状(図５参照)、梅花状(図には未表示)又は十字状(図には未表示)の時は一般のドライバーとして使用できる。また挿し込み栓(14) の一端(141)が針状の時は(図６参照)、鉄板に線を引けるという製図用コンパスとしての使用機能を持ちうるのである。
【００１０】
その他には、前述の挿し込み栓(14)のもう一端には固定部(142)を有する。該固定部(142)は前述の押さえ台(111)(121)の位置決め孔(1110)(1210)と連結するのに用いられうる。
【００１１】
図７に示したのは、前述の挿し込み栓(14)は固定部(142)に押さえ体(1421)を別に設けているものである。該押さえ体(1421)は前述の押さえ台(111)(121)が別に設けたはめ穴(1111)(1211)と互いにはまり合う。それにより挿し込み栓(14)と押さえ台(111)(121)の結合が更に堅固なものとなりうるのである。
【００１２】
また、前述の押さえ台(111)(121)の位置決め孔(1110)(1210)の形状は、挿し込み栓(14)のもう一端の固定部(142)の円柱状(図１参照)、六角状(図７参照)等の形状と合わせ、中空状の円形位置決め孔、六角形位置決め孔等の形状として対応することもできる。
【００１３】
図８〜図１０に示したのは、本考案である一種のレンチ(1)構造のもう一つの実施例である。これは主に主掴み具(11)及び副掴み具(12)から構成されている。該主掴み具(11)及び副掴み具(12)の一端は旋回軸(13)を通じて互いに回転するように設置される。そして主掴み具(11)及び副掴み具(12)には位置決め板(15)が設けられている。該位置決め板(15)の一端は主掴み具(11)又は副掴み具(12)に固定される。位置決め板(15)の位置指定は固定用部品(16)を用いて行われる。該位置決め板(15)とレンチ(1)を用いることで、レンチ(1)の開放角度を固定し、自由に調整できる以外に、レンチ(1)が閉じられた時、その位置決め板(15)も同時に収納され、多くの空間を無駄にしないものとなっている。
【図面の簡単な説明】
【００１４】
【図１】本考案の実施例に関する立体分解図である。
【図２】本考案の実施例に関する立体図である。
【図３】本考案の実施例に於いて挿し込み栓の別の形状に関する立体拡大図である。
【図４】本考案の実施例に於いて挿し込み栓の別の形状に関する立体拡大図である。
【図５】本考案の実施例がドライバーの使用機能である場合の立体図である。
【図６】本考案の実施例が製図用コンパスの使用機能である場合の立体図である。
【図７】本考案の実施例が製図用コンパスの使用機能である時、そのうちの挿し込み栓が別の形状である場合の立体分解図である。
【図８】本考案が製図用コンパスの使用機能の別の実施例である場合に於ける立体図である。
【図９】本考案が製図用コンパスの使用機能の別の実施例である場合に於ける平面動作図である。
【図１０】本考案が製図用コンパスの使用機能の別の実施例である場合に於ける別の平面動作図である。
【符号の説明】
【００１５】
(1)レンチ
(11)主掴み具
(12)副掴み具
(13)旋回軸
(111) 、(121)押さえ台
(2)二穴ボルト
(1110) 、(1210)位置決め孔
(14)挿し込み栓
(141)一端
(142)固定部
(1421)押さえ体
(1111) 、(1211)はめ穴
(15)位置決め板
【図１】
0003120951.tif 000003
【図２】
0003120951.tif 000004
【図３】
0003120951.tif 000005
【図４】
0003120951.tif 000006
【図５】
0003120951.tif 000007
【図６】
0003120951.tif 000008
【図７】
0003120951.tif 000009
【図８】
0003120951.tif 000010
【図９】
0003120951.tif 000011
【図１０】
0003120951.tif 000012